(57)【特許請求の範囲】
【請求項１】
温度差のある２流体を熱交換する熱交換器の熱回収効果表示装置において、前記流体のいずれか又は両方の熱交換器入口と出口の温度と流量の計測値を瞬時にシーケンサに取込み、それらの各計測値に基づいて回収熱量を算出し、その算出値と予め入力された蒸気熱量及び／又は蒸気単価により節減蒸気量及び／又は節減金額をそれぞれ算出してそれらの値を瞬時に画面表示し、予め設定されたセンサーのサンプリング周期により更新するようにしたことを特徴とする熱回収効果表示装置。
【請求項２】
節減蒸気量及び／又は節減金額の積算値を任意の期間で画面表示するようにしたことを特徴とする請求項１に記載の熱回収効果表示装置。
【請求項３】
回収熱量が予め設定された基準値以下になった場合に警告表示及び／又は警報出力がなされるようにしたことを特徴とする請求項１又は２に記載の熱回収効果表示装置。
【発明の詳細な説明】
【０００１】
【発明の属する技術分野】
本発明は熱交換器の回収熱量を節減蒸気量及び／又は節減金額として表示するようにした熱回収効果表示装置に関する。
【０００２】
【従来の技術】
現在行われている熱交換器の一般的な管理方法は、運転員が熱交換器入口と出口の流体の温度及び流量を読み取って記録し、別の管理者が月度単位で節減効果を計算し、省エネルギー効果を算出する方法である。かかる方法は省エネルギー効果を正確に把握できるが、現場の運転員が省エネルギー効果を瞬時に把握できないため省エネルギー意欲を高揚できないのが現状である。
【０００３】
一方、現場の運転員が熱交換器の状態を管理する方法として、熱交換する流体の熱交換器入口と出口における温度差を計測し、その計測値が予め設定された基準値以下になったら、熱交換器の伝熱面の洗浄時期であることを報知する方法が知られている。しかしながら、かかる方法は単に熱交換器の伝熱面の洗浄作業を一時的に促すだけの効果しかないため、現場の運転員の省エネルギー意欲を継続的に喚起できないのが現状である。従って、熱交換器の省エネルギー効果を具体的かつ瞬時に知らせて熱交換器の省エネルギー意欲を高揚させる装置が求められている。
【０００４】
【発明が解決しようとする課題】
本発明はかかる従来技術の現状に鑑み創案されたものであり、その目的は熱交換器において熱交換する２流体間の交換熱量（回収熱量）を節減蒸気量及び／又は節減金額として瞬時に画面表示し、省エネルギー効果を常時監視できるようにした熱交換器の熱回収効果表示装置を提供することにある。
【０００５】
【課題を解決するための手段】
本発明者はかかる目的を達成するために鋭意検討した結果、熱交換する流体の熱交換器入口と出口の温度及び流量の計測値を瞬時にシーケンサに取り込み、それらの計測値に基づいて回収熱量、節減蒸気量及び節減金額の値を算出して瞬時に画面表示し、予め設定されたセンサーのサンプリング周期により更新することによって継続的な省エネルギー意欲の高揚が図れることを見出し、本発明の完成に至った。
【０００６】
即ち、本発明は温度差のある２流体を熱交換する熱交換器の熱回収効果表示装置において、前記流体のいずれか又は両方の熱交換器入口と出口の温度と流量の計測値を瞬時にシーケンサに取込み、それらの各計測値に基づいて回収熱量を算出し、その算出値と予め入力された蒸気熱量及び／又は蒸気単価により節減蒸気量及び／又は節減金額をそれぞれ算出してそれらの値を瞬時に画面表示し、予め設定されたセンサーのサンプリング周期により更新するようにしたことを特徴とする熱回収効果表示装置である。
【０００７】
本発明の装置の好ましい態様では、節減蒸気量及び／又は節減金額の積算値を時間、日、月又は年単位の現在又は過去の任意の期間で画面表示することができる。また、本発明の装置の好ましい態様では、回収熱量が予め設定された基準値以下になった場合に熱回収効果の低下を瞬時に知らせるべく警告表示及び／又は警報出力がなされることができる。
【０００８】
【発明の実施の形態】
本発明の装置の一実施形態を図面に基づいて説明するが、本発明はこれらに限定されるものではない。
図１は本発明の熱回収効果表示装置を取り付けた熱交換器のシステム構成を示す。
【０００９】
図１から明らかなように、熱交換器は低温側流体と高温側流体が熱交換するようになっており、熱交換器の低温側と高温側の流体の各出入口には低温側流体入口温度ｔ１（℃）と出口温度ｔ２（℃）、高温側流体入口温度Ｔ１（℃）と出口温度Ｔ２（℃）の合計四つの温度を連続的又は間欠的に計測するための温度センサーＴＥが配設されている。また、低温側流体と高温側流体の各流量ＦＷ１，ＦＷ２（ｋｇ／ｈｒ）を連続的又は間欠的に計測するための流量センサーＦＸも配設されている。上記の温度センサーＴＥ及び流量センサーＦＸは低温側流体または高温側流体のいずれかに存在させればよく、両方の流体のために存在させなくてもよい。
【００１０】
温度センサーＴＥの温度計測値ｔ１，ｔ２，Ｔ１，Ｔ２と流量センサーＦＸの流量計測値ＦＷ１，ＦＷ２は瞬時にシーケンサに取り込まれ、それらの各計測値に基づいて下記式に従って回収熱量Ｑを算出する。
0003699909.tif 000002
【００１１】
次に、この回収熱量Ｑ（ｋｃａｌ／ｈｒ）の算出値と予め入力された蒸気熱量Ｋ１（ｋｃａｌ／ｋｇ）及び蒸気単価Ｋ２（円／ｋｇ）により、下記式に従って節減蒸気量（ｋｇ／ｈｒ）及び節減金額（円／ｈｒ）をそれぞれ算出する。
節減蒸気量＝Ｑ／Ｋ１
節減金額＝（Ｑ／Ｋ１）×Ｋ２
【００１２】
これらの算出された節減蒸気量及び節減金額は熱回収効果表示装置において瞬時に表示され、予め設定されたセンサーのサンプリング周期により更新される。熱回収効果表示装置の正面外観は視認性や取扱性を満足するものであればいかなる形態もとることができるが、例えば図２に示すように中央下部に節減蒸気量や節減金額等を表示するタッチパネル表示部を配置し、上部左側と中央に回収熱量が予め設定された基準値以下になった場合の警告表示と警告ブザーをそれぞれ配置し、上部右側に警告ブザー停止用押ボタンスイッチを配置することができる。
【００１３】
次に熱回収効果表示装置のタッチパネル表示部について説明する。
図３は電源投入時に最初に表示されるメイン画面を示す。画面には、その時点の低温側プロセス量（出口温度（℃）、入口温度（℃）、流量（ｋｇ／ｈｒ））とこれらから算出される節減効果（節減蒸気（ｋｇ／ｈｒ）、節減金額（円／ｈｒ）が表示されている。表示データの更新はシーケンサのサンプリング周期により適宜設定することができるが、例えば１分毎に更新する。
【００１４】
また、メイン画面は画面下の「効果実績（日）」及び「効果実績（月）」の欄をタッチすることにより、日単位又は月単位の効果表示実績画面に切り替えることができる。日単位の効果実績画面としては、例えば過去１０日分の日毎の積算値をグラフ形式（図４）又は表形式（図５）で表示することができ、画面左下の「数値表示」欄及び「グラフ表示」欄をタッチすることにより、表示形式を相互に切り替えることができる。月単位の効果実績画面としては、図６のようにその時点までの今月分と前月分の効果の積算値を表示することができる。日単位及び月単位の効果実績画面はいずれも画面右下の「戻る」欄をタッチすることによりメイン画面に切り替えることができる。
【００１５】
さらに、メイン画面は画面上部の両隅（影部）を同時にタッチすることにより、図７のようなメンテナンス画面に切り替えることができる。この画面では、熱交換器システムのソフト処理に必要な初期データの登録やシーケンサ内のレジスタに記憶している積算データのクリア処理を行う。初期データ設定は設定するデータ枠をタッチしてデータの選択を行い、画面上に表示されたテンキーからデータの入力を行う。また積算データクリアはゼロクリアするレジスタを「日」、「今月」、「前月」欄タッチにより選択し、「実行」欄タッチで指定範囲のレジスタをクリアする。この場合も画面右下の「戻る」欄をタッチすることによりメイン画面に切り替えることができる。
【００１６】
【発明の効果】
本発明の熱交換器の熱回収効果表示装置は上述のように構成されているので、以下のような効果を奏することができる。
（１）熱交換器の省エネルギー効果を具体的かつ瞬時に表示するようにしたので、現場の運転員の省エネルギー意欲を高揚することができる。
（２）省エネルギー効果の積算値を任意の期間で表示するようにしたので、省エネルギー効果の管理が容易である。
（３）回収熱量が予め設定された基準値以下になった場合に警告表示及び／又は警報出力がなされるようにしたので、省エネルギー効果が低下しても即座に対応することができる。
【図面の簡単な説明】
【図１】本発明の熱回収効果表示装置を取り付けた熱交換器のシステム構成を示す。
【図２】本発明の装置の外観を示す。
【図３】本発明の装置のメイン画面を示す。
【図４】本発明の装置の日単位の効果実績表示画面をグラフ形式で示す。
【図５】本発明の装置の日単位の効果実績表示画面を表形式で示す。
【図６】本発明の装置の月単位の効果実績表示画面を示す。
【図７】本発明の装置のメンテナンス画面を示す。
【図１】
0003699909.tif 000003
【図２】
0003699909.tif 000004
【図３】
0003699909.tif 000005
【図４】
0003699909.tif 000006
【図５】
0003699909.tif 000007
【図６】
0003699909.tif 000008
【図７】
0003699909.tif 000009